(57)【要約】 【課題】利用者が容易に刈払機等の作業部の回転体を交換することの出来る分離脱着装置、及びそれを用いた刈払機、水中ポンプ、耕作機、除雪機を提供することを課題とする。【解決手段】エンジン２Ａの回転をパイプケース２Ｂ内のシャフト２Ｃに伝えてシャフト２Ｃを回転させるエンジン・操作部Ａと、前記シャフト２Ｃの回転を作業回転体２Ｄに伝える作業部Ｃとを連結又は分離する連結部Ｂの分離脱着装置１であって、分離脱着装置１は、クラッチケース３とジョーククラッチ４から構成されることを特徴とする。【選択図】図１
0003119138.tif 000002
【実用新案登録請求の範囲】
【請求項１】
エンジン（２Ａ）の回転をパイプケース（２Ｂ）内のシャフト（２Ｃ）に伝えてシャフト（２Ｃ）を回転させるエンジン・操作部（Ａ）と、前記シャフト（２Ｃ）の回転を作業回転体（２Ｄ）に伝える作業部（Ｃ）とを連結又は分離する連結部（Ｂ）の分離脱着装置（１）であって、
クラッチケース（３）とジョーククラッチ（４）から構成され、
クラッチケース（３）は、前方のクラッチケース（３Ａ）と、後方のクラッチケース（３Ｂ）と、ヒンジ（３Ｃ）と、係脱金具（３Ｄ）から構成され、
前方のクラッチケース（３Ａ）は、所定寸法のパイプ状に構成され、前方のパイプケース（２Ｂ１）の後端部分に当該前方のクラッチケース（３Ａ）の後方部分（３Ａ１）が後方に突出する状態で固着され、かつ、この前方のクラッチケース（３Ａ）の後方端面部分には係脱段部（３Ａ１１）が形成され、さらに、前方のシャフト（２Ｃ１）の後端部分と前方のパイプケース（２Ｂ１）の後端部分との間には、前方のベアリング（３Ａ２）が配設され、
後方のクラッチケース（３Ｂ）は、所定寸法のパイプ状に構成され、後方のパイプケース（２Ｂ２）の前端部分に当該後方のクラッチケース（３Ｂ）の前方部分（３Ｂ１）が前方に突出する状態で固着され、かつ、この後方のクラッチケース（３Ｂ）の前方端面部分には上記係脱段部（３Ａ１１）と係脱する係脱段部（３Ｂ１１）が形成され、
ヒンジ（３Ｃ）は、前方のクラッチケース（３Ａ）と後方のクラッチケース（３Ｂ）を一直線に嵌合している状態において、これら両ケースの下面位置をもって前方のヒンジ係脱具（３Ｃ１）は、前方のクラッチケース（３Ａ）側に、また、後方のヒンジフック（３Ｃ２）は、後方のクラッチケース（３Ｂ）に取り付けられ、
係脱金具（３Ｄ）は、前方の係脱具（３Ｄ１）と、後方のフック（３Ｄ２）から構成され、前方のクラッチケース（３Ａ）と後方のクラッチケース（３Ｂ）を一直線に嵌合している状態において、これら両ケースの上面位置をもって前方の係脱具（３Ｄ１）は、前方のクラッチケース（３Ａ）側に、また、後方のフック（３Ｄ２）は、後方のクラッチケース（３Ｂ）に取付けられ、
ジョーククラッチ（４）は、前方のシャフト（２Ｃ１）の後端部分に取付けられた前方のジョーククラッチ（４Ａ）と、後方のシャフト（２Ｃ２）の先端部分に取付けられた後方のジョーククラッチ（４Ｂ）から構成され、
前方のシャフト（２Ｃ１）の後端部分（２Ｃ１１）には、外周にスプラインが形成されていると共に、前方のシャフトの長手方向と直交する状態で長穴状のピン穴（２Ｃ１２）が開設され、さらに前方のシャフト（２Ｃ１）の外周面には、当該前方のシャフトの後端面より少し前方位置をもってコイルスプリング係止用のリング状突条（２Ｃ１３）が突設され、
また、後方のシャフト（２Ｃ２）の先端部分（２Ｃ２１）には、外周にスプラインが形成されていると共に、後方のシャフトの長手方向と直交するピン穴（２Ｃ２２）が開設され、
前方のジョーククラッチ（４Ａ）は、短い円柱状体（４Ａ１）と、この短い円柱状体の中心に開設された前方のシャフト貫入用スプライン孔（４Ａ２）と、短い円柱状体（４Ａ１）の背面部分に刻設されたクラッチ用歯部（４Ａ３）から構成され、前方のシャフト（２Ｃ１）の後端部分に、コイルスプリング（４Ａ４）を介してクラッチ用歯部（４Ａ３）を後方に向け短い円柱状体（４Ａ１）を貫入し、当該前方のシャフト（２Ｃ１）における長穴状のピン穴（２Ｃ１２）とピン（４Ａ５）で固定され、
後方のジョーククラッチ（４Ｂ）は、短い円柱状体（４Ｂ１）と、この短い円柱状体の中心に開設された後方のシャフト貫入用スプライン孔（４Ｂ２）と、短い円柱状体（４Ｂ１）の前面部分に刻設されたクラッチ用歯部（４Ｂ３）から構成され、後方のシャフト（２Ｃ２）の前端部分に、クラッチ用歯部（４Ｂ３）を前方に向け短い円柱状体（４Ｂ１）を貫入し、後方のシャフトにおけるピン穴（２Ｃ２２）とピン（４Ｂ４）で固定されている
ことを特徴とする分離脱着装置。
【請求項２】
刈り払いのためのカッターを先端部に有する刈払作業部（２Ｇ、２Ｈ）と、エンジン・操作部（Ａ）と、前記作業部（Ｃ）と前記エンジン・操作部（Ａ）とを連結又は分離する連結部（Ｂ）の分離脱着装置（１）とから構成される刈払機（２）において、
前記分離脱着装置（１）は請求項１に記載の分離脱着装置（１）である
ことを特徴とする刈払機。
【請求項３】
水を吸入し排出するためのポンプを先端部に有する水中ポンプ作業部（２Ｊ）と、
エンジン・操作部（Ａ）と、前記水中ポンプ作業部（２Ｊ）と前記エンジン・操作部（Ａ）とを連結又は分離する分離脱着装置（１）とから構成される水中ポンプにおいて、
前記分離脱着装置（１）は請求項１に記載の分離脱着装置（１）である
ことを特徴とする水中ポンプ。
【請求項４】
耕作のための耕作用の羽根を先端部に有する耕作作業部（２Ｋ）と、
エンジン・操作部（Ａ）と、前記耕作作業部（２Ｋ）と前記エンジン・操作部（Ａ）とを連結又は分離する連結部（Ｂ）の分離脱着装置（１）とから構成される耕作機において、
前記分離脱着装置（１）は請求項１に記載の分離脱着装置（１）である
ことを特徴とする耕作機。
【請求項５】
除雪のための除雪用の羽根を先端部に有する除雪作業部（２Ｌ）と、
エンジン・操作部（Ａ）と、前記除雪作業部（２Ｌ）と前記エンジン・操作部（Ａ）とを連結又は分離する連結部（Ｂ）の分離脱着装置（１）とから構成される除雪機において、
前記分離脱着装置（１）は請求項１に記載の分離脱着装置（１）である
ことを特徴とする除雪機。
【考案の詳細な説明】
【技術分野】
【０００１】
本考案は、新規な構成を有する刈払機等の分離脱着装置及びそれを用いた刈払機、水中ポンプ、耕作機、除雪機に関するものである。
【背景技術】
【０００２】
従来、エンジンを搭載した刈払機等は、回転を鋸刃に伝えるパイプケースやシャフトが、所謂一本のものとなっているために、携帯性、及び鋸刃を替えて耕作機や除雪機として用いるという汎用性に対して不利であった。
そこで、例えば、汎用性を考慮した連結部を有する技術として、特許文献１では、他部材に連結するための連結部と、伝動軸本体のパイプ状端部内に嵌入される嵌入部とを有し、嵌入部にはローレット部とローレット部よりも小径の係止部を有する継手体を用意し、ローレット部を伝動軸本体のパイプ状端部内に圧入し、その後、伝動軸本体の外径と同寸法の内径を有するダイスを用いた引抜加工により、圧入により拡がったパイプ状端部をしごき、該パイプ状端部の外径を電動軸本体の中間部と同一外径にすると共にパイプ状端部を係止部に向けて突出させて入り込ませることにより、刈払機の伝動軸本体の端部に、連結部を、簡単、短時間、安価に、しかも容易に中心軸を一致させで製造可能とする技術が開示されている。
【０００３】
【特許文献１】特開２００５−０７３６６６号公報
【考案の開示】
【考案が解決しようとする課題】
【０００４】
しかしながら、特許文献１に記載の技術は、連結部の連結技術を工場等の製造現場で用いる技術であり、高度かつ精密性が要求されるため、利用者が作業場等で容易に刈払機の作業部の鋸刃を交換して、他の耕作機等の回転体に交換することができる連結部の技術ではない。
【０００５】
上記問題点に鑑み、本考案は、利用者が容易に刈払機等の作業部の回転体を交換することの出来る分離脱着装置、及びそれを用いた刈払機、水中ポンプ、耕作機、除雪機を提供することを課題とする。
【課題を解決するための手段】
【０００６】
上記課題を解決するために、本考案は、以下の特徴を有する。
請求項１に記載の本考案は、エンジン２Ａの回転をパイプケース２Ｂ内のシャフト２Ｃに伝えてシャフト２Ｃを回転させるエンジン・操作部Ａと、前記シャフト２Ｃの回転を作業回転体２Ｄに伝える作業部Ｃとを連結又は分離する連結部Ｂの分離脱着装置１であって、クラッチケース３とジョーククラッチ４から構成され、クラッチケース３は、前方のクラッチケース３Ａと、後方のクラッチケース３Ｂと、ヒンジ３Ｃと、係脱金具３Ｄから構成され、前方のクラッチケース３Ａは、所定寸法のパイプ状に構成され、前方のパイプケース２Ｂ１の後端部分に当該前方のクラッチケース３Ａの後方部分３Ａ１が後方に突出する状態で固着され、かつ、この前方のクラッチケース３Ａの後方端面部分には係脱段部３Ａ１１が形成され、さらに、前方のシャフト２Ｃ１の後端部分と前方のパイプケース２Ｂ１の後端部分との間には、前方のベアリング３Ａ２が配設され、後方のクラッチケース３Ｂは、所定寸法のパイプ状に構成され、後方のパイプケース２Ｂ２の前端部分に当該後方のクラッチケース３Ｂの前方部分３Ｂ１が前方に突出する状態で固着され、かつ、この後方のクラッチケース３Ｂの前方端面部分には上記係脱段部３Ａ１１と係脱する係脱段部３Ｂ１１が形成され、ヒンジ３Ｃは、前方のクラッチケース３Ａと後方のクラッチケース３Ｂを一直線に嵌合している状態において、これら両ケースの下面位置をもって前方のヒンジ係脱具３Ｃ１は、前方のクラッチケース３Ａ側に、また、後方のヒンジフック３Ｃ２は、後方のクラッチケース３Ｂに取り付けられ、係脱金具３Ｄは、前方の係脱具３Ｄ１と、後方のフック３Ｄ２から構成され、前方のクラッチケース３Ａと後方のクラッチケース３Ｂを一直線に嵌合している状態において、これら両ケースの上面位置をもって前方の係脱具３Ｄ１は、前方のクラッチケース３Ａ側に、また、後方のフック３Ｄ２は、後方のクラッチケース３Ｂに取付けられ、ジョーククラッチ４は、前方のシャフト２Ｃ１の後端部分に取付けられた前方のジョーククラッチ４Ａと、後方のシャフト２Ｃ２の先端部分に取付けられた後方のジョーククラッチ４Ｂから構成され、前方のシャフト２Ｃ１の後端部分２Ｃ１１には、外周にスプラインが形成されていると共に、前方のシャフトの長手方向と直交する状態で長穴状のピン穴２Ｃ１２が開設され、さらに前方のシャフト２Ｃ１の外周面には、当該前方のシャフトの後端面より少し前方位置をもってコイルスプリング係止用のリング状突条２Ｃ１３が突設され、また、後方のシャフト２Ｃ２の先端部分２Ｃ２１には、外周にスプラインが形成されていると共に、後方のシャフトの長手方向と直交するピン穴２Ｃ２２が開設され、前方のジョーククラッチ４Ａは、短い円柱状体４Ａ１と、この短い円柱状体の中心に開設された前方のシャフト貫入用スプライン孔４Ａ２と、短い円柱状体４Ａ１の背面部分に刻設されたクラッチ用歯部４Ａ３から構成され、前方のシャフト２Ｃ１の後端部分に、コイルスプリング４Ａ４を介してクラッチ用歯部４Ａ３を後方に向け短い円柱状体４Ａ１を貫入し、当該前方のシャフト２Ｃ１における長穴状のピン穴２Ｃ１２とピン４Ａ５で固定され、後方のジョーククラッチ４Ｂは、短い円柱状体４Ｂ１と、この短い円柱状体の中心に開設された後方のシャフト貫入用スプライン孔４Ｂ２と、短い円柱状体４Ｂ１の前面部分に刻設されたクラッチ用歯部４Ｂ３から構成され、後方のシャフト２Ｃ２の前端部分に、クラッチ用歯部４Ｂ３を前方に向け短い円柱状体４Ｂ１を貫入し、後方のシャフトにおけるピン穴２Ｃ２２とピン４Ｂ４で固定されていることを特徴とする分離脱着装置である。
【０００７】
請求項２に記載の本考案は、刈り払いのためのカッターを先端部に有する刈払作業部２Ｇ、２Ｈと、エンジン・操作部Ａと、前記作業部Ｃと前記エンジン・操作部Ａとを連結又は分離する連結部Ｂの分離脱着装置１とから構成される刈払機２において、前記分離脱着装置１は請求項１に記載の分離脱着装置１であることを特徴とする刈払機である。
【０００８】
請求項３に記載の本考案は、水を吸入し排出するためのポンプを先端部に有する水中ポンプ作業部２Ｊと、エンジン・操作部Ａと、前記水中ポンプ作業部２Ｊと前記エンジン・操作部Ａとを連結又は分離する分離脱着装置１とから構成される水中ポンプにおいて、前記分離脱着装置１は請求項１に記載の分離脱着装置１であることを特徴とする水中ポンプである。
【０００９】
請求項４に記載の本考案は、耕作のための耕作用の羽根を先端部に有する耕作作業部２Ｋと、エンジン・操作部Ａと、前記耕作作業部２Ｋと前記エンジン・操作部Ａとを連結又は分離する連結部Ｂの分離脱着装置１とから構成される耕作機において、前記分離脱着装置１は請求項１に記載の分離脱着装置１であることを特徴とする耕作機である。
【００１０】
請求項５に記載の本考案は、除雪のための除雪用の羽根を先端部に有する除雪作業部２Ｌと、エンジン・操作部Ａと、前記除雪作業部２Ｌと前記エンジン・操作部Ａとを連結又は分離する連結部Ｂの分離脱着装置１とから構成される除雪機において、前記分離脱着装置１は請求項１に記載の分離脱着装置１であることを特徴とする除雪機である。
【考案の効果】
【００１１】
本考案により、利用者が容易に刈払機等の作業部を交換することの出来る分離脱着装置、及びそれを用いた刈払機、水中ポンプ、耕作機、除雪機を提供することができる。
【考案を実施するための最良の形態】
【００１２】
以下に、本考案を実施するための最良の形態を図面に基づいて説明する。
【００１３】
図１は、本考案の分離脱着装置を備える刈払機を示す斜視図である。図２は、本考案の分離脱着装置で刈払機を分離した状態を示す図である。図３は、分離脱着装置の連結状態を示す断面図である。切欠いた要部拡大側面図である。図４は、分離脱着装置の二つ折りの状態を説明する要部拡大斜視図である。図５は、分離脱着装置の二つ折りの状態を説明する断面図である。
【００１４】
刈払機２は、図１に示すように、エンジン・操作部Ａ、作業部Ｃ、エンジン・操作部Ａと作業部Ｃとを連結する連結部Ｂから構成される。連結部Ｂには本考案の分離脱着装置１が備えられている。エンジン２Ａの回転をパイプケース２Ｂ内のシャフト２Ｃの後端に伝え、シャフト２Ｃの前端に設けた作業回転体２Ｄである鋸刃２Ｄを回転させるよう構成されている。図中、２Ｅは防振ハンドル、２Ｆは振れ止めブッシュである。また、図２に示すように、本考案の分離脱着装置を用いることにより、その使用目的に応じて、鋸刃等の金属刃カッター作業部２Ｇ又はナイロンコードカッター作業部２Ｈをエンジン・操作部Ａに連結することができる。
【００１５】
図２に示すように、連結部Ｂの分離脱着装置１により分離することで、刈払機２はエンジン・操作部Ａと作業部Ｃとに分離することが可能となる。従って、エンジン・操作部Ａに、鋸刃等の金属刃カッター作業部２Ｇやナイロンコードカッター作業部２Ｈをアタッチメントとして連結することで、種々の目的に対応した刈払機２を形成することが可能となる。
【００１６】
分離脱着装置１は、パイプケース２Ｂとシャフト２Ｃにおける防振ハンドル２Ｅの位置より少し前方位置で、分断された前方のパイプケース２Ｂ１の後端部分と後方のパイプケース２Ｂ２の先端部分との間、及び分断された前方のシャフト２Ｃ１の後端部分と後方のシャフト２Ｃ２の先端部分との間に設けられている。そこで、分離脱着装置１は、クラッチケース３、ジョーククラッチ（ドッグクラッチ〜動力伝達装置歯）４、ヒンジ部６及び係脱金具３Ｄから構成されている。
【００１７】
（１）クラッチケース３は、前方のクラッチケース３Ａと、後方のクラッチケース３Ｂと、ヒンジ３Ｃと、係脱金具３Ｄから構成されている。
（ｉ）前方のクラッチケース３Ａは、所定寸法のパイプ状に構成され、前方のパイプケース２Ｂ１の後端部分に当該前方のクラッチケース３Ａの後方部分３Ａ１が後方に突出する状態で固着され、かつ、この前方のクラッチケース３Ａの後方端面部分には係脱段部３Ａ１１が形成されている。さらに、前方のシャフト２Ｃ１の後端部分と前方のパイプケース２Ｂ１の後端部分との間には、前方のベアリング３Ａ２が配設されている。
（ｉｉ）後方のクラッチケース３Ｂは、所定寸法のパイプ状に構成され、後方のパイプケース２Ｂ２の前端部分に当該後方のクラッチケース３Ｂの前方部分３Ｂ１が前方に突出する状態で固着され、かつ、この後方のクラッチケース３Ｂの前方端面部分には上記係脱段部３Ａ１１と係脱する係脱段部３Ｂ１１が形成されている。さらに、後方のシャフト２Ｃ２の前端部分と後方のパイプケース２Ｂ２の前端部分との間には、後方のベアリング３Ｂ２が配設されている。
【００１８】
（ｉｉｉ）図６は、ヒンジ部の詳細を示す図である。ヒンジ３Ｃは、前方のクラッチケース３Ａと後方のクラッチケース３Ｂを一直線に嵌合している状態において、これら両ケースの下面位置をもって取付けられている。この結果、前方のクラッチケース３Ａと後方のクラッチケース３Ｂとは、ヒンジ３Ｃを支点として回転自在に構成されている。更に、ヒンジ３Ｃは、図６に示すように、クラッチケース３Ａに取付けられたヒンジ係脱具３Ｃ１と、クラッチケース３Ｂに取付けられたヒンジフック３Ｃ２からなる。従って、ヒンジ係脱具３Ｃ１をヒンジフック３Ｃ２から取り外して分離することが可能となる。
（ｉｖ）係脱金具３Ｄは、後方のフック３Ｄ２と、前方の係脱具３Ｄ１から構成されており、公知のものである。前方のクラッチケース３Ａと後方のクラッチケース３Ｂを一直線に嵌合している状態において、これら両ケースの上面位置をもって後方のフック３Ｄ２は、後方のクラッチケース３Ｂ側に、また、前方の係脱具３Ｄ１は、前方のクラッチケース３Ａに取付けられている。この結果、後方のフック３Ｄ２と前方の係脱具３Ｄ１を係合固定すると、両者は一直線で固定され、後方のフック３Ｄ２と前方の係脱具３Ｄ１を離脱すると、前方のクラッチケース３Ａと後方のクラッチケース３Ｂとは、図５に示すように、ヒンジ３Ｃを支点として回転可能となる。
【００１９】
図７は、ジョークラッチの詳細を示す斜視図である。図８は、ジョークラッチの断面図である。
ジョーククラッチ４は、前方のシャフト２Ｃ１の後端部分に取付けられた前方のジョーククラッチ４Ａと、後方のシャフト２Ｃ２の先端部分に取付けられた後方のジョーククラッチ４Ｂから構成されている。
前方のシャフト２Ｃ１の後端部分２Ｃ１１には、外周にスプラインが形成されており、前方のシャフトの長手方向と直交する状態で長穴状のピン穴２Ｃ１２が開設され、さらに、前方のシャフト２Ｃ１の外周面には、当該前方のシャフトの後端面よりやや前方位置をもってコイルスプリング係止用のリング状突条２Ｃ１３が突設されている。また、後方のシャフト２Ｃ２の先端部分２Ｃ２１には、外周にスプラインが形成されており、後方のシャフトの長手方向と直交するピン穴２Ｃ２２が開設されている。
前方のジョーククラッチ４Ａは、短い円柱状体４Ａ１と、この短い円柱状体の中心に開設された前方のシャフト貫入用スプライン孔４Ａ２と、短い円柱状体４Ａ１の背面部分に刻設されたクラッチ用歯部４Ａ３から構成され、前方のシャフト２Ｃ１の後端部分に、コイルスプリング４Ａ４を介してクラッチ用歯部４Ａ３を後方に向け短い円柱状体４Ａ１を貫入し、当該前方のシャフト２Ｃ１における長穴状のピン穴２Ｃ１２とピン４Ａ５で固定されている。
【００２０】
（ｉｉｉ）後方のジョーククラッチ４Ｂは、短い円柱状体４Ｂ１と、この短い円柱状体の中心に開設された後方のシャフト貫入用スプライン孔４Ｂ２と、短い円柱状体４Ｂ１の前面部分に刻設されたクラッチ用歯部４Ｂ３から構成され、後方のシャフト２Ｃ２の前端部分に、クラッチ用歯部４Ｂ３を前方に向け短い円柱状体４Ｂ１を貫入し、後方のシャフトにおけるピン穴２Ｃ２２とピン４Ｂ４で固定されている。
（ｉｖ）この結果、前方のクラッチケース３Ａと後方のクラッチケース３Ｂを、ヒンジ３Ｃを支点として折りたたむと、クラッチ用歯部４Ａ３の歯とクラッチ用歯部４Ｂ３の歯とは離脱することになる。前方のクラッチケース３Ａと後方のクラッチケース３Ｂを、ヒンジ３Ｃを支点として一直線にすると、クラッチ用歯部４Ａ３の歯とクラッチ用歯部４Ｂ３の歯とは噛合うことになる。この場合、上記クラッチ用歯部４Ａ３の歯と、クラッチ用歯部４Ｂ３の歯とは鋸刃２Ｄの回転方向に対して斜めに切込んで構成されているので、回転時に互いに確実に噛合うよう構成されている。さらに、前方のジョーククラッチ４Ａが、コイルスプリング４Ａ４によって後方に押圧されているので、上述噛合わせ状態をより確実なものとすることができる。すなわち、前方のクラッチケース３Ａと後方のクラッチケース３Ｂの連結に際して、短い円柱状体４Ａ１と短い円柱状体４Ｂ１の歯が重なった時、コイルスプリング４Ａ４が作用するので、そのままエンジン２Ａを始動すると自動的に歯が噛合うことになる。
（ｖ）前方のシャフト２Ｃ１における長穴状のピン穴２Ｃ１２の短径は、前方のジョーククラッチ４Ａにおけるピン４Ａ５の直径より若干大きめに構成されている。これは前方のジョーククラッチ４Ａがスライドするためである。
このような形状を有することで、前方のジョークラッチ４Ａと後方のジョークラッチ４Ｂとが勘合して、後方のエンジンの回転を前方の作業部に伝達することが出来る。
【００２１】
図９は、本考案の水中ポンプ作業部の例を示す図である。水中ポンプ作業部の先端部には作業回転体として水車（不図示）が備えられている。この水中ポンプ作業部２Ｊを、エンジン・操作部Ａに本考案の分離脱着装置１を用いて連結することにより、水中ポンプとして利用することが出来る。
【００２２】
図１０は、本考案の耕作機作業部の例を示す図である。耕作作業部２Ｋの先端部には作業回転体として耕作用の羽根が備えられている。この耕作作業部２Ｋを、エンジン・操作部Ａに本考案の分離脱着装置１を用いて連結することにより、耕作機として利用することが出来る。
【００２３】
図１１は、本考案の除雪機作業部の例を示す図である。除雪作業部２Ｌの先端部には作業回転体として除雪用の羽根が備えられている。この除雪作業部２Ｌを、エンジン・操作部Ａに本考案の分離脱着装置１を用いて連結することにより、除雪機として利用することが出来る。
【図面の簡単な説明】
【００２４】
【図１】本考案の分離脱着装置を備える刈払機を示す斜視図である。
【図２】本考案の分離脱着装置で刈払機を分離した状態を示す図である。
【図３】本考案の分離脱着装置を連結した状態を示す断面図である。
【図４】二つ折りの状態を説明する要部拡大斜視図である。
【図５】二つ折りの状態を説明する断面図である。
【図６】ヒンジ部の詳細を示す図である。
【図７】ジョークラッチの詳細を示す斜視図である。
【図８】ジョークラッチの断面図である。
【図９】本考案の水中ポンプ作業部の例を示す図である。
【図１０】本考案の耕作作業部の例を示す図である。
【図１１】本考案の除雪作業部の例を示す図である。
【符号の説明】
【００２５】
１  分離脱着装置
２  刈払機
２Ａ  エンジン
２Ｂ  パイプケース
２Ｃ  シャフト
２Ｄ  鋸刃（作業回転体）
２Ｅ  防振ハンドル
２Ｆ  振れ止めブッシュ
２Ｇ  鋸刃等の金属刃カッター作業部
２Ｈ  ナイロンコードカッター作業部
２Ｊ  水中ポンプ作業部
２Ｋ  耕作作業部
２Ｌ  除雪作業部
３  クラッチケース
３Ａ  前方のクラッチケース
３Ｂ  後方のクラッチケース
３Ｃ  ヒンジ
３Ｄ  係脱金具
４  ジョークラッチ
４Ａ  前方のジョーククラッチ
４Ｂ  後方のジョーククラッチ
Ａ  エンジン・操作部
Ｂ  連結部
Ｃ  作業部
【図１】
0003119138.tif 000003
【図２】
0003119138.tif 000004
【図３】
0003119138.tif 000005
【図４】
0003119138.tif 000006
【図５】
0003119138.tif 000007
【図６】
0003119138.tif 000008
【図７】
0003119138.tif 000009
【図８】
0003119138.tif 000010
【図９】
0003119138.tif 000011
【図１０】
0003119138.tif 000012
【図１１】
0003119138.tif 000013